(57)【要約】【課題】活性汚泥中の微生物状態や濃度の変化、測定時の温度変化などに影響されることなく、濾過膜モジュールの濾過特性を正確に評価することができる濾過膜評価装置および濾過膜評価方法を提供する。【解決手段】メンブレンバイオリアクターシステムに使用される濾過膜モジュールの濾過特性を評価する濾過膜評価装置であって、活性汚泥を含む処理水中に保持されたサンプル濾過膜モジュールおよび参照濾過膜モジュールの双方に対して、同一条件でバブリングを行い、各濾過膜モジュールに接続される濾過膜モジュール用の吸引路を介して、各濾過膜モジュールで濾過される濾過水を吸引して、各濾過膜モジュールの濾過特性を測定する濾過膜評価装置。および前記濾過膜評価装置を用いた濾過膜評価方法。【選択図】  図１
2011218246.tif 000002
【特許請求の範囲】
【請求項１】
メンブレンバイオリアクターシステムに使用される濾過膜モジュールの濾過特性を評価する濾過膜評価装置であって、
サンプル濾過膜モジュールおよび参照濾過膜モジュールの各々を、活性汚泥中において保持する各濾過膜モジュール用のモジュール保持手段と、
前記モジュール保持手段により保持された各濾過膜モジュールに対して、バブリングを同一条件で行うバブリング手段と、
前記各濾過膜モジュールの各々に接続される各濾過膜モジュール用の吸引路と、
前記各濾過膜モジュールで濾過される濾過水を各吸引路を介して吸引し、濾過特性を測定する各濾過膜モジュール用の濾過特性測定手段と
を備えていることを特徴とする濾過膜評価装置。
【請求項２】
前記活性汚泥を含む処理水を収容する主汚泥槽と、
前記主汚泥槽の外部に備えられた同一形状のサンプル濾過膜モジュール槽および参照濾過膜モジュール槽を備え、
各濾過膜モジュール槽には、前記活性汚泥を含む処理水が前記主汚泥槽から循環供給されて収容されていると共に、各濾過膜モジュール用のモジュール保持手段が設けられており、さらにバブリングを相互に同一条件で行うバブリング手段が設けられている
ことを特徴とする請求項１に記載の濾過膜評価装置。
【請求項３】
前記各濾過膜モジュール用のモジュール保持手段により保持される各濾過膜モジュールの周囲に、それぞれ同一形状の中空筒が備えられていることを特徴とする請求項１に記載の濾過膜評価装置。
【請求項４】
メンブレンバイオリアクターシステムに使用される濾過膜モジュールの濾過特性を評価する濾過膜評価方法であって、
サンプル濾過膜モジュールおよび参照濾過膜モジュールの各々を、活性汚泥を含む処理水中に浸漬する濾過膜モジュール浸漬工程と、
浸漬された各濾過膜モジュールに対して、同一条件で、ファウリング抑制のためのバブリングを行うバブリング工程と、
前記各濾過膜モジュールで濾過された濾過水を、各濾過膜モジュールの各々に接続された各濾過膜モジュール用の吸引路を介して吸引し、各濾過膜モジュールの濾過特性を測定する濾過特性測定工程と、
前記各濾過膜モジュールの濾過特性の測定を並行して行い、各測定結果を比較して、前記参照濾過膜モジュールに対する前記サンプル濾過膜モジュールの評価を行う濾過特性評価工程と
を備えていることを特徴とする濾過膜評価方法。
【請求項５】
前記濾過膜モジュール浸漬工程が、主汚泥槽の外部に備えられ、前記活性汚泥を含む処理水が前記主汚泥槽から循環供給されて収容されている同一形状のサンプル濾過膜モジュール槽および参照濾過膜モジュール槽の各々に各濾過膜モジュールを浸漬する工程であり、
前記バブリング工程が、前記各濾過膜モジュール槽に対して、同一条件でバブリングを行う工程であることを特徴とする請求項４に記載の濾過膜評価方法。
【請求項６】
前記活性汚泥を含む処理水に代えて水を用い、各濾過膜モジュールを取り外した状態で、
各吸引路で前記水を吸引して、各吸引路における水吸引圧力を並行して測定し、
各測定結果を用いて、前記評価の補正を行う評価補正工程を備えていることを特徴とする請求項４または請求項５に記載の濾過膜評価方法。
【発明の詳細な説明】
【技術分野】
【０００１】
本発明は、濾過膜評価装置および濾過膜評価方法に関し、特に、メンブレンバイオリアクターシステムに使用される濾過膜モジュールの特性を評価する濾過膜評価装置および濾過膜評価方法に関する。
【背景技術】
【０００２】
近年、生活排水などの汚水処理技術として、微生物を含む活性汚泥によって汚水の有機物汚染成分を分解処理させた後、濾過膜モジュールを用いて微生物成分と清浄な濾過水とを分離し、濾過水を回収するメンブレンバイオリアクターシステム（ＭＢＲシステム）が用いられている。
【０００３】
しかし、このメンブレンバイオリアクターシステムでは、分離中、微生物等の汚泥中浮遊成分により、濾過膜モジュールにファウリング（目詰まり）が生じやすい。ファウリングが発生すると、濾過膜モジュールの濾過抵抗が上昇して、流量が低下する。このため、新たな濾過膜モジュールの使用に際しては、ファウリングに対する性能、即ち濾過膜モジュールの濾過特性を評価する必要があり、この評価を行うための各種の方法が提案されている（たとえば、特許文献１）。
【０００４】
この評価に際して対象となる濾過特性としては、流束、膜間差圧、濾過液の水質など種々あるが、評価する方法としては、新たに使用する濾過膜モジュールの濾過特性を、既成の濾過膜モジュールの濾過特性と比較することにより行われている。
【０００５】
従来の濾過膜評価装置による濾過特性の評価方法につき、図４、図５を用いて具体的に説明する。図４は評価対象のサンプル濾過膜モジュールがセットされた従来の濾過膜評価装置の概要を模式的に示す図である。そして、図５は比較の基準とする参照濾過膜モジュールがセットされた従来の濾過膜評価装置の概要を模式的に示す図であり、セットされた濾過膜モジュールが異なるだけで、図４と同じ濾過膜評価装置である。
【０００６】
従来の濾過膜評価装置は、エア供給ポンプ１０、エア供給路８、エア流量計１２、汚泥槽２２、吸引路７、流量計１３、圧力計１４、チューブポンプ１１、および、濾過水槽４で構成されている。そして、図４においては、サンプル濾過膜モジュール１ａが、図５においては参照濾過膜モジュール１ｂがセットされている。
【０００７】
汚泥槽２２は、上部が開口しており、内部に、活性汚泥１６および処理対象の汚水が収容されている。そして、汚泥槽２２の底部には、エア供給ポンプ１０が、エア供給路８およびエア流量計１２を介して接続されている。エア供給ポンプ１０より供給される空気（曝気）により、汚泥槽２２の底部から上方に向かってバブルが発生される（バブリング）。発生したバブルは、濾過膜についた微生物などをふるい落してファウリングの発生を抑制している。
【０００８】
汚泥槽２２の活性汚泥１６中には、濾過膜モジュール１ａ、１ｂが、図示しないモジュール保持部により保持されて、浸漬されている。これらの濾過膜モジュールは、底面および側面が濾過膜で構成されたモジュール本体１ａ１、１ｂ１と、モジュール本体１ａ１、１ｂ１を保持するモジュール頭部１ａ２、１ｂ２とで構成されており、モジュール頭部１ａ２、１ｂ２には吸引路７が接続されている。
【０００９】
汚泥槽２２内で活性汚泥１６により処理された汚水は、濾過膜モジュール１ａ、１ｂにより吸引濾過され、濾過水１７となって吸引路７、流量計１３、チューブポンプ１１を経由して濾過水槽４に収容される。
【００１０】
以上のような構成の下で、濾過特性として、例えば、一定流束下における膜間差圧が測定される。即ち、吸引路７における流量を一定量にして、圧力計１４で、サンプル濾過膜モジュールの濾過水吸引圧力（Ｐｓｆ）を測定する。その後、図５において、同様に、参照濾過膜モジュールの濾過水吸引圧力（Ｐｒｆ）を測定する。
【００１１】
そして、このＰｓｆとＰｒｆとを比較することにより、参照濾過膜モジュール１ｂに対するサンプル濾過膜モジュール１ａの評価が行われる。
【先行技術文献】
【特許文献】
【００１２】
【特許文献１】特開２００１−２８１１３０号公報
【発明の概要】
【発明が解決しようとする課題】
【００１３】
しかしながら、活性汚泥中の微生物状態や濃度は絶えず変化しており、測定時の温度も変化するため、従来の方法のように濾過特性の測定に時間差があると、同一の状態で双方の測定を行うことができず、濾過特性を正確に評価することが困難であった。
【００１４】
このうち、温度変化については、ヒーターを設置したり、システム全体を恒温槽に入れたりすることなどにより、対応することができるが、微生物状態やその濃度について制御することは困難であり、事実上不可能である。
【００１５】
そこで、本発明は、活性汚泥中の微生物状態や濃度の変化、測定時の温度変化などに影響されることなく、濾過膜モジュールの濾過特性を正確に評価することができる濾過膜評価装置および濾過膜評価方法を提供することを課題とする。
【課題を解決するための手段】
【００１６】
本発明者は、鋭意研究を行った結果、以下に示す発明により上記の課題が解決できることを見出し、本発明を完成するに至った。以下、各請求項の発明を説明する。
【００１７】
請求項１に記載の発明は、
メンブレンバイオリアクターシステムに使用される濾過膜モジュールの濾過特性を評価する濾過膜評価装置であって、
サンプル濾過膜モジュールおよび参照濾過膜モジュールの各々を、活性汚泥中において保持する各濾過膜モジュール用のモジュール保持手段と、
前記モジュール保持手段により保持された各濾過膜モジュールに対して、バブリングを同一条件で行うバブリング手段と、
前記各濾過膜モジュールの各々に接続される各濾過膜モジュール用の吸引路と、
前記各濾過膜モジュールで濾過される濾過水を各吸引路を介して吸引し、濾過特性を測定する各濾過膜モジュール用の濾過特性測定手段と
を備えていることを特徴とする濾過膜評価装置である。
【００１８】
本請求項の発明においては、サンプル濾過膜モジュールにおける濾過特性の測定および参照濾過膜モジュールにおける濾過特性の測定を、同じ活性汚泥に対して並行して、即ち、同時に行うことができるように構成されている。このため、活性汚泥中の微生物状態や濃度の変化、測定時の温度変化などに影響されることなく、両濾過膜モジュールの濾過特性を同一の状態で測定することができる。その結果、評価精度を向上することができる。
【００１９】
一方、両者のバブリング状態の相違は、測定値に大きな影響を与え、評価の精度を低下させる。このため、両濾過膜モジュールに対して、バブリングを同一の条件で行うバブリング手段が採用されている。
【００２０】
なお、評価は、具体的には、各濾過膜モジュールの濾過特性の測定を並行して行い、各測定結果を比較して、前記参照濾過膜モジュールに対する前記サンプル濾過膜モジュールの評価を行う。
【００２１】
請求項２に記載の発明は、
前記活性汚泥を含む処理水を収容する主汚泥槽と、
前記主汚泥槽の外部に備えられた同一形状のサンプル濾過膜モジュール槽および参照濾過膜モジュール槽を備え、
各濾過膜モジュール槽には、前記活性汚泥を含む処理水が前記主汚泥槽から循環供給されて収容されていると共に、各濾過膜モジュール用のモジュール保持手段が設けられており、さらにバブリングを相互に同一条件で行うバブリング手段が設けられている
ことを特徴とする請求項１に記載の濾過膜評価装置である。
【００２２】
本請求項の発明においては、大きな主汚泥槽にサンプル濾過膜モジュールと参照濾過膜モジュールの双方を並存させて浸漬させるのではなく、同一形状のサンプル濾過膜モジュール槽および参照濾過膜モジュール槽をそれぞれ独立して備え、各濾過膜モジュール槽の各濾過膜モジュールに対して双方で同一条件でバブリングを行う構成とされている。
【００２３】
このため、大きな主汚泥槽に、同一汚泥槽に双方の濾過膜モジュールを、並存させて浸漬した場合における不安定なバブリング状態の発生を、確実に抑制して、バブリングの効果が不均一となることを防止することができる。
【００２４】
請求項３に記載の発明は、
前記各濾過膜モジュール用のモジュール保持手段により保持される各濾過膜モジュールの周囲に、それぞれ同一形状の中空筒が備えられていることを特徴とする請求項１に記載の濾過膜評価装置である。
【００２５】
本請求項の発明においては、各濾過膜モジュールの周囲に同一形状の中空筒が設けられている。このため、請求項２の場合のように独立した濾過膜モジュール槽が設けることなく、不安定なバブリング状態の発生を抑制して、バブリングの効果が不均一となることを防止することができる。
【００２６】
請求項４に記載の発明は、
メンブレンバイオリアクターシステムに使用される濾過膜モジュールの濾過特性を評価する濾過膜評価方法であって、
サンプル濾過膜モジュールおよび参照濾過膜モジュールの各々を、活性汚泥を含む処理水中に浸漬する濾過膜モジュール浸漬工程と、
浸漬された各濾過膜モジュールに対して、同一条件で、ファウリング抑制のためのバブリングを行うバブリング工程と、
前記各濾過膜モジュールで濾過された濾過水を、各濾過膜モジュールの各々に接続された各濾過膜モジュール用の吸引路を介して吸引し、各濾過膜モジュールの濾過特性を測定する濾過特性測定工程と、
前記各濾過膜モジュールの濾過特性の測定を並行して行い、各測定結果を比較して、前記参照濾過膜モジュールに対する前記サンプル濾過膜モジュールの評価を行う濾過特性評価工程と
を備えていることを特徴とする濾過膜評価方法である。
【００２７】
本請求項の発明においては、サンプル濾過膜モジュールにおける濾過特性の測定および参照濾過膜モジュールにおける濾過特性の測定を、同一のバブリング条件の下で、並行して、即ち、同時に行っているため、活性汚泥中の微生物状態や濃度の変化、測定時の温度変化などに影響されることなく、各濾過膜モジュールの濾過特性を同一の状態で測定することができ、評価精度を向上することができる。
【００２８】
請求項５に記載の発明は、
前記濾過膜モジュール浸漬工程が、主汚泥槽の外部に備えられ、前記活性汚泥を含む処理水が前記主汚泥槽から循環供給されて収容されている同一形状のサンプル濾過膜モジュール槽および参照濾過膜モジュール槽の各々に各濾過膜モジュールを浸漬する工程であり、
前記バブリング工程が、前記各濾過膜モジュール槽に対して、同一条件でバブリングを行う工程であることを特徴とする請求項４に記載の濾過膜評価方法である。
【００２９】
本請求項の発明においては、同一形状の独立したサンプル濾過膜モジュール槽および参照濾過膜モジュール槽の各濾過膜モジュールに対して同一条件でバブリングを行うため、不安定なバブリング状態の発生を確実に抑制して、バブリングの効果が不均一となることを防止することができる。
【００３０】
請求項６に記載の発明は、
前記活性汚泥を含む処理水に代えて水を用い、各濾過膜モジュールを取り外した状態で、
各吸引路で前記水を吸引して、各吸引路における水吸引圧力を並行して測定し、
各測定結果を用いて、前記評価の補正を行う評価補正工程を備えていることを特徴とする請求項４または請求項５に記載の濾過膜評価方法である。
【００３１】
本発明における濾過特性の測定は、双方の濾過膜モジュールにおける濾過特性の測定が並行して、即ち、同時に行われている。このため、それぞれの濾過膜モジュールに接続された濾過膜の吸引路、流量計、チューブポンプ、水頭差などにおける機械的特性などのばらつきが測定値に影響を与える恐れがある。
【００３２】
本請求項の発明においては、活性汚泥を含む処理水に代えて特性の安定している水を用い、各濾過膜モジュールを取り外した状態で、各吸引路で吸引しているため、得られる水吸引圧力の差は、前記した機械的特性などのばらつきによる測定差を示していることになる。
【００３３】
このため、この測定結果に基づいて濾過特性の評価を補正することにより、前記の機械的特性などのばらつきによる影響を補正することができ、評価精度をさらに向上させることができる。
【発明の効果】
【００３４】
本発明によれば、活性汚泥中の微生物状態や濃度の変化、測定時の温度変化などに影響されることなく、濾過膜モジュールの濾過特性を正確に評価することができる。
【図面の簡単な説明】
【００３５】
【図１】実施の形態１において、各濾過膜モジュールがセットされた濾過膜評価装置の概要を模式的に示す図である。
【図２】実施の形態１において、各濾過膜モジュールが取り外された濾過膜評価装置の概要を模式的に示す図である。
【図３】実施の形態２における濾過膜評価装置の概要を模式的に示す図である。
【図４】サンプル濾過膜モジュールがセットされた従来の濾過膜評価装置の概要を模式的に示す図である。
【図５】参照濾過膜モジュールがセットされた従来の濾過膜評価装置の概要を模式的に示す図である。
【発明を実施するための形態】
【００３６】
以下、本発明を実施の形態に基づいて具体的に説明する。なお、以下の実施の形態においては、濾過特性として、濾過水の吸引量を一定にした一定流束下における膜間差圧を採用し、サンプル濾過膜モジュールにおける濾過水吸引圧力（Ｐｓｆ）および参照濾過膜モジュールにおける濾過水吸引圧力（Ｐｒｆ）を測定している。
【００３７】
１．実施の形態１
本実施の形態は、サンプル濾過膜モジュール槽と参照濾過膜モジュール槽とをそれぞれ独立して備えた実施の形態である。
【００３８】
図１は、本実施の形態における濾過膜評価装置の概要を模式的に示す図である。本実施の形態における濾過膜評価装置は、主汚泥槽２、汚泥供給路５ａ、５ｂ、汚泥供給用のチューブポンプ９、汚泥返送路６ａ、６ｂ、サンプル濾過膜モジュール槽３ａ、参照濾過膜モジュール槽３ｂ、エア供給ポンプ１０、エア供給路８ａ、８ｂ、エア流量計１２ａ、１２ｂ、サンプル濾過膜の吸引路７ａ、流量計１３ａ、圧力計１４ａ、チューブポンプ１１ａ、参照濾過膜の吸引路７ｂ、流量計１３ｂ、圧力計１４ｂ、チューブポンプ１１ｂ、および、濾過水槽４で構成されている。なお、サンプル濾過膜モジュール１ａおよび参照濾過膜モジュール１ｂは、図示しない各モジュール保持手段により濾過膜評価装置にセットされている。
【００３９】
主汚泥槽２は、上部が開口しており、この主汚泥槽２には処理の対象である汚水を含む活性汚泥１６が収容されている。活性汚泥１６は、汚水中の有機物を分解する微生物を含んでおり、汚水を浄化する汚水処理機能を備えている。
【００４０】
主汚泥槽２は、汚泥供給路５ａを介してサンプル濾過膜モジュール槽３ａに接続され、さらに、汚泥返送路６ａを介して接続されている。同様にして、主汚泥槽２は、汚泥供給路５ｂを介して参照濾過膜モジュール槽３ｂに接続され、さらに、汚泥返送路６ｂを介して接続されている。また、汚泥供給路５ａおよび汚泥供給路５ｂの途中部には、汚泥供給用のチューブポンプ９が備えられている。
【００４１】
サンプル濾過膜モジュール槽３ａと参照濾過膜モジュール槽３ｂとは、同一形状をしており、共に上部が開口している。前記した通り、サンプル濾過膜モジュール槽３ａにはサンプル濾過膜モジュール１ａが、参照濾過膜モジュール槽３ｂには参照濾過膜モジュール１ｂがセットされている。また、サンプル濾過膜モジュール槽３ａの底部および参照濾過膜モジュール槽３ｂの底部には、エア供給路８ａ、８ｂを介してエア供給ポンプ１０が接続されている。また、エア供給路８ａにはエア流量計１２ａが、エア供給路８ｂにはエア流量計１２ｂがそれぞれ備えられている。
【００４２】
サンプル濾過膜モジュール１ａは、吸引路７ａを介して濾過水槽４と接続されている。吸引路７ａには、濾過水槽４に向かって順に、流量計１３ａ、圧力計１４ａおよびチューブポンプ１１ａが備えられている。
【００４３】
参照濾過膜モジュール１ｂは、吸引路７ｂを介して濾過水槽４と接続されている。吸引路７ｂには、濾過水槽４に向かって順に、流量計１３ｂ、圧力計１４ｂおよびチューブポンプ１１ｂが備えられている。
【００４４】
主汚泥槽２は、内部に、活性汚泥１６および汚水が収容されている。活性汚泥１６は、汚水中の有機物を分解する微生物を含んでおり、汚水を浄化する汚水処理機能を備えている。
【００４５】
主汚泥槽２からサンプル濾過膜モジュール槽３ａに対して、汚泥供給用のチューブポンプ９により、汚泥供給路５ａおよび汚泥返送路６ａを介して、活性汚泥１６が循環供給される。サンプル濾過膜モジュール槽３ａに備えられているサンプル濾過膜モジュール１ａは、この循環供給される活性汚泥１６に浸漬される。
【００４６】
同様にして、主汚泥槽２から参照濾過膜モジュール槽３ｂに対して、汚泥供給用のチューブポンプ９により、汚泥供給路５ｂおよび汚泥返送路６ｂを介して、活性汚泥１６が循環供給される。そして、参照濾過膜モジュール槽３ｂに備えられている参照濾過膜モジュール１ｂは、この循環供給される活性汚泥１６に浸漬される。
【００４７】
サンプル濾過膜モジュール槽３ａに備えられているサンプル濾過膜モジュール１ａは、評価の対象である濾過膜モジュールであり、このサンプル濾過膜モジュール１ａは、底面および側面が濾過膜で構成されたモジュール本体１ａ１とモジュール本体１ａ１を保持するモジュール頭部１ａ２で構成されている。モジュール本体１ａ１に使用される濾過膜は、濾過性能を持つ多孔質膜が好ましく、材質としては、ポリテトラフルオロエチレン（ＰＴＦＥ）などの樹脂やセラミックなどで形成されている。また、サンプル濾過膜モジュール１ａのモジュール頭部１ａ２には吸引路７ａが接続されている。
【００４８】
参照濾過膜モジュール槽３ｂに備えられている参照濾過膜モジュール１ｂは、サンプル濾過膜モジュール１ａの評価を行うために比較の基準として使用される濾過膜モジュールであり、サンプル濾過膜モジュール１ａと同様の形態をしており、モジュール頭部１ｂ２には吸引路７ｂが接続されている。
【００４９】
エア供給ポンプ１０は、サンプル濾過膜モジュール槽３ａおよび参照濾過膜モジュール槽３ｂへ曝気を供給し、この曝気により、サンプル濾過膜モジュール槽３ａおよび参照濾過膜モジュール槽３ｂの底部からバブリング用の空気のバブルが上方に向かって発生される。
【００５０】
バブリングは、メンブレンバイオリアクターシステムにおける濾過膜モジュールに生じるファウリング（目詰まり）を抑制するために行われるが、バブリング状態の少しの変化により測定値が大きく変化するため、サンプル濾過膜モジュール１ａおよび参照濾過膜モジュール１ｂに対するバブリング条件が同一となるように、バブル発生口の形状を同一とし、それぞれの濾過膜モジュール槽の中心に位置する構成としている。また、それぞれの濾過膜モジュール下端とバブル発生口の距離を同一にするために、バブル発生口を上下方向に移動できる構造としている。
【００５１】
サンプル濾過膜モジュール槽３ａでは、サンプル濾過膜モジュール１ａにより、参照濾過膜モジュール槽３ｂでは、参照濾過膜モジュール１ｂにより、活性汚泥１６から濾過水１７が濾過され、濾過水１７は、チューブポンプ１１ａ、１１ｂにより吸引されて、参照濾過膜の吸引路７ａ、７ｂを経由して濾過水槽４に排出されて収容される。
【００５２】
サンプル濾過膜モジュール１ａの濾過特性の測定としては、サンプル濾過膜の吸引路７ａにおいて一定流束の下、即ち、サンプル濾過膜の吸引路７ａにおける流量が一定量となるように、チューブポンプ１１ａにより濾過水１７を吸引したときに圧力計１４ａで測定される濾過水吸引圧力（Ｐｓｆ）が用いられる。
【００５３】
同様に、参照濾過膜モジュール１ｂの測定値としては、圧力計１４ｂで測定される濾過水吸引圧力（Ｐｒｆ）が用いられる。そして、これらの濾過水吸引圧力の測定は、並行して同時に行う。
【００５４】
この同時に測定された２つの濾過水吸引圧力、ＰｓｆおよびＰｒｆを比較することにより、参照濾過膜モジュール１ｂに対するサンプル濾過膜モジュール１ａの濾過特性の評価を行うことができる。
【００５５】
本実施の形態では、評価精度を向上させるために、さらに、以下の補正処理を行っている。
【００５６】
まず、活性汚泥１６に代えて水１８を用い、サンプル濾過膜モジュール１ａおよび参照濾過膜モジュール１ｂを取り外す。この様子を図２に示す。
【００５７】
次に、吸引路７ａ、７ｂにおける流量を一定量として、チューブポンプ１１ａ、１１ｂにより水１８を吸引したときの水吸引圧力、ＰｓｗおよびＰｒｗを、圧力計１４ａ、１４ｂで測定する。
【００５８】
前記したように、この２つの測定値は、各吸引路７ａ、７ｂにおけるそれぞれの機械的特性のばらつきによるものということができる。
【００５９】
測定されたＰｓｗとＰｒｗ、およびＰｓｆとＰｒｆを用いて、参照濾過膜モジュール１ｂに対するサンプル濾過膜モジュール１ａの評価の補正を行う。これにより、機械的特性のばらつきによる影響を取り除くことができ、より評価精度を向上させることができる。
【００６０】
具体的には、ＰｓｆとＰｓｗの差と、ＰｒｆとＰｒｗの差との差により、評価が行われる。即ち、
評価値＝（Ｐｓｆ−Ｐｓｗ）−（Ｐｒｆ−Ｐｒｗ）
である。
【００６１】
なお、この評価に関して、正確には、濾過が安定するまでの間は差でなく、比により評価する必要があるが、濾過が安定するまでの時間は短く、安定した後は、各濾過膜モジュールにおける測定値は一定となるため、実用上は簡易な上記の式を採用しても問題がない。
【００６２】
２．実施の形態２
次に、実施の形態２における濾過膜評価装置について、図面に基づき説明する。
【００６３】
図３は、本実施の形態における濾過膜評価装置の構成を示した構成図である。本実施の形態における濾過膜評価装置の構成は、次の点が、実施の形態１における濾過膜評価装置と異なる。
【００６４】
まず、実施の形態１においては、主汚泥槽２、サンプル濾過膜モジュール槽３ａおよび参照濾過膜モジュール槽３ｂを用いているのに対して、実施の形態２においては、汚泥槽２２のみを用い、サンプル濾過膜モジュール１ａ、参照濾過膜モジュール１ｂを汚泥槽２２に収容された活性汚泥１６に浸漬し、バブリングも共通の汚泥槽全体に行う点が異なる。このように、同一の汚泥槽に、双方のサンプル濾過膜モジュールを浸漬し、バブリングも共通の汚泥槽全体に行うため、実施の形態１の場合に比べ、装置の簡略化を図ることができる。
【００６５】
さらに、各濾過膜モジュールの周囲に、それぞれ円筒あるいは角筒などの同一形状で中空の中空筒１５ａ、１５ｂが備えられている点が、実施の形態１と異なる。このように、濾過膜モジュールの周囲に中空筒を配置し、実施の形態１の場合と同様に、バブル発生口の形状を同一とし、中空筒の中心に位置する構成とすると共に、それぞれの濾過膜モジュール下端とバブル発生口の距離を同一にすることにより、各濾過膜モジュールに対するバブルの状態を均一化して、不安定なバブリング状態の発生を抑制することができ、バブリングの効果が不均一となることを防止することができる。
【００６６】
なお、バブリングは、底面全体から均一にバブルが発生するように行うことにより、双方の濾過膜モジュールに対するバブリング条件の差をより小さくすることができる。
【００６７】
以上、本発明の実施の形態について説明したが、本発明は、以上の実施の形態に限定されるものではない。本発明と同一および均等の範囲内において、以上の実施の形態に対して種々の変更を加えることが可能である。
【符号の説明】
【００６８】
１ａ                          サンプル濾過膜モジュール
１ａ１、１ｂ１                モジュール本体
１ａ２、１ａ２                モジュール頭部
１ｂ                          参照濾過膜モジュール
２                            主汚泥槽
３ａ                          サンプル濾過膜モジュール槽
３ｂ                          参照濾過膜モジュール槽
４                            濾過水槽
５ａ、５ｂ                    汚泥供給路
６ａ、６ｂ                    汚泥返送路
７、７ａ、７ｂ                吸引路
８、８ａ、８ｂ                エア供給路
９                            汚泥供給用のチューブポンプ
１０                          エア供給ポンプ
１１、１１ａ、１１ｂ          チューブポンプ
１２、１２ａ、１２ｂ          エア流量計
１３、１３ａ、１３ｂ          流量計
１４、１４ａ、１４ｂ          圧力計
１５ａ、１５ｂ                中空筒
１６                          活性汚泥
１７                          濾過水
１８                          水
２２                          汚泥槽
【図１】
2011218246.tif 000003
【図２】
2011218246.tif 000004
【図３】
2011218246.tif 000005
【図４】
2011218246.tif 000006
【図５】
2011218246.tif 000007